(57)【要約】【課題】高速パケット通信において、多重化するデータユニット（ＭＡＣ-ＰＤＵ）のサイズを示す情報（ＬＩ）に必要なビット数の増加によるオーバヘッドの増加を軽減する。【解決手段】ＭＡＣレイヤにおいて、ＲＬＣから、所定サイズ以下のＭＡＣ-ＳＤＵを受信するＭＡＣ-ＳＤＵ受信部１１と、受信したＭＡＣ-ＳＤＵを多重化してＭＡＣ-ＰＤＵを生成するＭＡＣ-ＰＤＵ生成部１３と、生成されたＭＡＣ-ＰＤＵを送信するＭＡＣ-ＰＤＵ送信部１４とを具備し、ＭＡＣ-ＰＤＵに多重化されているＭＡＣ-ＳＤＵのサイズを示す固定長の「ＬＩ」は、ＭＡＣ-ＰＤＵに付与されているＭＡＣヘッダに含まれており、所定サイズは、固定長の「ＬＩ」によって指定可能な最大のサイズである。【選択図】図４
2008172296.tif 000002
【特許請求の範囲】
【請求項１】
第１レイヤにおいて、該第１レイヤの上位レイヤから、所定サイズ以下の上位レイヤデータユニットを受信する上位レイヤデータユニット受信部と、
受信した前記上位レイヤデータユニットを多重化して第１データユニットを生成する第１データユニット生成部と、
生成された前記第１データユニットを送信する第１データユニット送信部とを具備し、
前記第１データユニットに多重化されている前記上位レイヤデータユニットのサイズを示す固定長のサイズ情報は、前記第１データユニットに付与されているヘッダ情報に含まれており、
前記所定サイズは、前記固定長のサイズ情報によって指定可能な最大のサイズであることを特徴とする送信機。
【請求項２】
前記ヘッダ情報に含まれる前記サイズ情報の数は、多重化されている前記上位レイヤデータユニットの数よりも１つ少ないことを特徴とする請求項１に記載の送信機。
【発明の詳細な説明】
【技術分野】
【０００１】
本発明は、送信機に関する。
【背景技術】
【０００２】
３ＧＰＰ（３ｒｄ  Ｇｅｎｅｒａｔｉｏｎ  Ｐａｒｔｎｅｒｓｈｉｐ  Ｐｒｏｊｅｃｔ）において規定されている移動通信システムでは、図１に示すように、下り方向において、無線基地局ＮｏｄｅＢ（送信機）が、移動局ＵＥ（受信機）に対して、ＤＣＣＨ（Ｄｅｄｉｃａｔｅｄ  Ｃｏｎｔｒｏｌ  Ｃｈａｎｎｅｌ）や、ＤＴＣＨ（Ｄｅｄｉｃａｔｅｄ  Ｔｒａｆｆｉｃ  Ｃｈａｎｎｅｌ）や、ＣＣＣＨ（Ｃｏｍｍｏｎ  Ｃｏｎｔｒｏｌ  Ｃｈａｎｎｅｌ）等を送信するように構成されている。
【０００３】
また、上り方向においては、移動局ＵＥ（送信機）が、無線基地局ＮｏｄｅＢ（受信機）に対して、ＤＣＣＨや、ＤＴＣＨや、ＣＣＣＨ等を送信するように構成されている。
【０００４】
また、３ＧＰＰで規格されているＭＢＭＳ（Ｍｕｌｔｉｍｅｄｉａ  Ｂｒｏａｄｃａｓｔ/Ｍｕｌｔｉｃａｓｔ  Ｓｅｒｖｉｃｅｓ）用の論理チャネルとして、下り方向において、無線基地局ＮｏｄｅＢ（送信機）が、移動局ＵＥ（受信機）に対して、ＭＴＣＨ（ＭＢＭＳ  Ｔｒａｆｆｉｃ  Ｃｈａｎｎｅｌ）や、ＭＣＣＨ（ＭＢＭＳ  Ｃｏｎｔｒｏｌ  Ｃｈａｎｎｅｌ）を送信するように構成されている。
【０００５】
また、３ＧＰＰで規格されている上り方向の高速パケット通信規格であるＨＳＤＰＡ（Ｈｉｇｈ  Ｓｐｅｅｄ  Ｄｏｗｎｌｉｎｋ  Ｐａｃｋｅｔ  Ａｃｃｅｓｓ）用の物理チャネルとして、下り方向において、無線基地局ＮｏｄｅＢ（送信機）が、移動局ＵＥ（受信機）に対して、ＨＳ-ＳＣＣＨ（Ｈｉｇｈ  Ｓｐｅｅｄ  Ｓｈａｒｅｄ  Ｃｏｎｔｒｏｌ  Ｃｈａｎｎｅｌ）や、ＨＳ-ＰＤＳＣＨ（Ｈｉｇｈ  Ｓｐｅｅｄ  Ｐｈｙｓｉｃａｌ  Ｄｏｗｎｌｉｎｋ  Ｓｈａｒｅｄ  Ｃｈａｎｎｅｌ）等を送信するように構成されている。
【０００６】
また、ＨＳＤＰＡでは、無線基地局ＮｏｄｅＢ（送信機）が、ＭＡＣ-ｈｓレイヤにおいて、ＭＡＣ-ｄレイヤから受信した１つ又は複数のＭＡＣ-ｄ  ＰＤＵ（Ｐｒｏｔｏｃｏｌ  Ｄａｔａ  Ｕｎｉｔ）を多重化して、ＭＡＣ-ｈｓ  ＰＤＵを生成し、ＨＳ-ＰＤＳＣＨに関連付けられているＨＳ-ＤＳＣＨ（Ｈｉｇｈ  Ｓｐｅｅｄ  Ｄｏｗｎｌｉｎｋ  Ｓｈａｒｅｄ  Ｃｈａｎｎｅｌ）を用いて送信するように構成されている。
【０００７】
ここで、ＭＡＣ-ｈｓ  ＰＤＵに多重化されるＭＡＣ-ｄ  ＰＤＵのサイズは、ＭＡＣ-ｄフロー毎に固定であり、図９に示すように、無線基地局ＮｏｄｅＢ（送信機）のＭＡＣ-ｈｓレイヤにおいて、ＭＡＣ-ｄフロー毎にＭＡＣ-ｄ  ＰＤＵのサイズを示す「ＳＩＤ（Ｓｉｚｅ  Ｉｎｄｅｘ  Ｉｄｅｎｔｉｆｉｅｒ）」及び当該ＭＡＣ-ｄ  ＰＤＵの個数を示す「Ｎ（Ｎｕｍｂｅｒ  ｏｆ  ＭＡＣ-ｄ  ＰＤＵｓ）を含むＭＡＣヘッダをＭＡＣ-ｈｓ  ＰＤＵに付与するように構成されている。
【非特許文献１】３ＧＰＰ  ＴＳ  ２５．３２１  ｖ７．０．０
【発明の開示】
【発明が解決しようとする課題】
【０００８】
しかしながら、ＬＴＥ（Ｌｏｎｇ  Ｔｅｒｍ  Ｅｖｏｌｕｔｉｏｎ）では、下り方向の伝送速度として１００Ｍｂｐｓ以上の伝送速度を実現し、上り方向の伝送速度として５０Ｍｂｐｓ以上の伝送速度を実現することを目的としている。
【０００９】
ＬＴＥでは、ＨＳＤＰＡとは異なり、ＭＡＣ-ＰＤＵに多重化されるＭＡＣ-ＳＤＵのサイズが可変であり、単位時間である１ＴＴＩ（Ｔｒａｎｓｍｉｓｓｉｏｎ  Ｔｉｍｅ  Ｉｎｔｅｒｖａｌ）に送信可能なＭＡＣ-ＰＤＵのサイズが大きくなるために、各ＭＡＣ-ＳＤＵのサイズを示す「ＬＩ（Ｌｅｎｇｔｈ  Ｉｎｄｉｃａｔｏｒ）」にも十分な長さが要求される。
【００１０】
例えば、１００Ｍｂｐｓで通信を行う場合、１ＴＴＩを１ｍｓとすると、１ＴＴＩ当たり１２５００バイトのパケットが送信されることになり、ＭＡＣ-ＰＤＵのサイズ（長さ）を表現するのに必要な「ＬＩ（Ｌｅｎｇｔｈ  Ｉｎｄｉｃａｔｏｒ）」のビット数は、ＬＩの粒度を１バイトと仮定すると１４ビット以上となる。
【００１１】
しかしながら、１００Ｍｂｐｓで通信を行う環境は限定的であるため、常に、ＭＡＣヘッダに、１４ビット長の「ＬＩ」が含まれるのは、非効率的であるという問題点がある。
【００１２】
具体的には、セル端のような実効的な伝送レートが１００Ｍｂｐｓよりも低い環境においても、常に、上述の１４ビットが、ＭＡＣ-ＰＤＵを構成する各情報要素（例えば、各ＭＡＣ  ＳＤＵ）に対して必要となるという問題点があった。
【００１３】
そこで、本発明は、上述の課題に鑑みてなされたものであり、高速パケット通信において、多重化するデータユニットのサイズを示す情報に必要なビット数の増加によるオーバヘッドの増加を軽減することを可能とする送信機及び受信機を提供することを目的とする。
【課題を解決するための手段】
【００１４】
本発明の第１の特徴は、送信機であって、第１レイヤにおいて、該第１レイヤの上位レイヤから、所定サイズ以下の上位レイヤデータユニットを受信する上位レイヤデータユニット受信部と、受信した前記上位レイヤデータユニットを多重化して第１データユニットを生成する第１データユニット生成部と、生成された前記第１データユニットを送信する第１データユニット送信部とを具備し、前記第１データユニットに多重化されている前記上位レイヤデータユニットのサイズを示す固定長のサイズ情報は、前記第１データユニットに付与されているヘッダ情報に含まれており、前記所定サイズは、前記固定長のサイズ情報によって指定可能な最大のサイズであることを要旨とする。
【００１５】
本発明の第１の特徴において、前記ヘッダ情報に含まれる前記サイズ情報の数は、多重化されている前記上位レイヤデータユニットの数よりも１つ少なくてもよい。
【発明の効果】
【００１６】
以上説明したように、本発明によれば、高速パケット通信において、多重化するデータユニットのサイズを示す情報に必要なビット数の増加によるオーバヘッドの増加を軽減することを可能とする送信機を提供することができる。
【発明を実施するための最良の形態】
【００１７】
（本発明の第１の実施形態に係る移動通信システムの構成）
図１乃至図５を参照して、本発明の第１の実施形態に係る送信機１０及び受信機３０を具備する移動通信システムの構成について説明する。本実施形態に係る移動通威信システムの構成は、ＬＴＥによって規格されているものとする。
【００１８】
ここで、無線基地局ｅＮｏｄｅＢが、本実施形態に係る送信機１０であり、移動局ＵＥが、本実施形態に係る受信機３０であってもよいし、無線基地局ｅＮｏｄｅＢが、本実施形態に係る受信機３０であり、移動局ＵＥが、本実施形態に係る送信機１０であってもよい。
【００１９】
図２に示すように、送信機１０は、ＭＡＣ（Ｍｅｄｉｕｍ  Ａｃｃｅｓｓ  Ｃｏｎｔｒｏｌ）レイヤ（第１レイヤ）機能として、ＭＡＣ-ＳＤＵ（Ｓｅｒｖｉｃｅ  Ｄａｔａ  Ｕｎｉｔ）受信部１１と、ＭＡＣ-ＰＤＵサイズ情報取得部１２と、ＭＡＣ-ＰＤＵ生成部１３と、ＭＡＣ-ＰＤＵ送信部１４とを具備している。
【００２０】
ＭＡＣ-ＰＤＵサイズ情報取得部１２は、ＭＡＣ-ＰＤＵのサイズを示すＭＡＣ-ＰＤＵサイズ情報を取得するように構成されている。
【００２１】
例えば、送信機１０が、上り方向のデータを送信する移動局ＵＥであると想定した場合、物理レイヤ（ＭＡＣレイヤの下位レイヤ）から、ＭＡＣ-ＰＤＵのサイズを示すＭＡＣ-ＰＤＵサイズ情報を取得するように構成されている。
【００２２】
かかる場合、移動局ＵＥのＭＡＣ-ＰＤＵサイズ情報取得部１２は、物理レイヤを介して、無線基地局ｅＮｏｄｅＢから送信されたＬ１/Ｌ２制御チャネル（ＭＡＣ-ＰＤＵサイズ情報）によって、ＭＡＣ-ＰＤＵのサイズと等価であるトランスポートブロックサイズを通知されるように構成されている。
【００２３】
或いは、移動局ＵＥのＭＡＣ-ＰＤＵサイズ情報取得部１２は、物理レイヤを介して、無線基地局ｅＮｏｄｅＢから送信されたＬ１/Ｌ２制御チャネル（ＭＡＣ-ＰＤＵサイズ情報）によって通知された値より小さい範囲で、ＭＡＣ-ＰＤＵのサイズと等価であるトランスポートブロックサイズを決定するように構成されてもよい。
【００２４】
また、送信機１０が、下り方向のデータを送信する無線基地局ｅＮｏｄｅＢであると想定した場合、ＭＡＣレイヤ機能であるスケジューラから、ＭＡＣ-ＰＤＵのサイズを示すＭＡＣ-ＰＤＵサイズ情報を取得するように構成されている。
【００２５】
ＭＡＣ-ＳＤＵ受信部１１は、ＲＬＣ（Ｒａｄｉｏ  Ｌｉｎｋ  Ｃｏｎｔｒｏｌ）レイヤ（ＭＡＣレイヤの上位レイヤ）から、所定サイズ以下で、かつ、ＭＡＣ-ＰＤＵサイズ情報取得部１２により取得されたＭＡＣ-ＰＤＵのサイズに適したサイズのＭＡＣ-ＳＤＵ（上位レイヤデータユニット）を受信するように構成されている（図３参照）。
【００２６】
ここで、所定サイズは、固定長の「ＬＩ（サイズ情報）」によって指定可能な最大のサイズである。
【００２７】
ＭＡＣ-ＰＤＵ生成部１３は、ＭＡＣレイヤにおいて、ＲＬＣレイヤから受信したＭＡＣ-ＳＤＵとＭＡＣコントロールブロック（制御情報）とＰａｄｄｉｎｇ（パディング情報）のいずれかである情報要素を多重化して、ＭＡＣ-ＰＤＵを生成するように構成されている。
【００２８】
具体的には、ＭＡＣ-ＰＤＵ生成部１３は、物理レイヤ又はスケジューラから通知されたＭＡＣ-ＰＤＵのサイズが、所定サイズよりも大きい場合、ＭＡＣ-ＳＤＵ受信部１１により受信された複数のＭＡＣ-ＳＤＵ多重化してＭＡＣ-ＰＤＵを生成するように構成されている。
【００２９】
一方、ＭＡＣ-ＰＤＵ生成部１３は、物理レイヤ又はスケジューラから通知されたＭＡＣ-ＰＤＵのサイズが、所定サイズ以下である場合、ＭＡＣ-ＳＤＵ受信部１１により受信された１つのＭＡＣ-ＳＤＵを多重化してＭＡＣ-ＰＤＵを生成するように構成されている。
【００３０】
図４（ａ）は、ＭＡＣ-ＰＤＵ生成部１３が、１つのＭＡＣ-ＳＤＵ＃１を多重化してＭＡＣ-ＰＤＵを生成する場合の例について示し、図４（ｂ）は、ＭＡＣ-ＰＤＵ生成部１２が、複数のＭＡＣ-ＳＤＵ＃１-１及びＭＡＣ-ＳＤＵ＃１-２を多重化してＭＡＣ-ＰＤＵを生成する場合の例について示す。
【００３１】
なお、図４（ａ）は、物理レイヤ又はスケジューラから通知されたＭＡＣ-ＰＤＵのサイズが、所定サイズ以下である場合の例について示し、図４（ｂ）は、物理レイヤから通知されたＭＡＣ-ＰＤＵのサイズが、所定サイズよりも大きい場合の例について示し、
図４（ａ）の例では、ＭＡＣ-ＰＤＵ生成部１３は、ＭＡＣ-ＳＤＵ＃１に対して、「Ｃ/Ｔ」と「Ｅ」とからなる組を含むＭＡＣヘッダを付与するように構成されている。
【００３２】
すなわち、図４（ａ）に示すように、ＭＡＣ-ＰＤＵ生成部１３は、ＭＡＣ-ＰＤＵに、１つのＭＡＣ-ＳＤＵ＃１のみを多重化する場合、ＭＡＣヘッダ内に「ＬＩ（Ｌｅｎｇｔｈ  Ｉｎｄｉｃａｔｏｒ）」を含めないように構成されている。
【００３３】
ここで、「Ｃ/Ｔ」は、ＭＡＣ-ＰＤＵに多重化されているＭＡＣ-ＳＤＵ＃１に対応する論理チャネルやＭＡＣコントロールブロックやＰａｄｄｉｎｇを識別するための情報である。図４（ａ）の例では、「Ｃ/Ｔ」は、ＭＡＣ-ＰＤＵに多重化されているＭＡＣ-ＳＤＵ＃１に対応する論理チャネルを識別するための情報である。
【００３４】
また、「Ｅ（Ｅｘｔｅｎｓｉｏｎ）」は、当該「Ｅ」がＭＡＣヘッダの最後であるか否かについて示す情報である。
【００３５】
例えば、「Ｅ」が、「０」である場合、当該「Ｅ」は、ＭＡＣヘッダの最後であり、当該「Ｅ」には、ＭＡＣ-ＳＤＵやＭＡＣコントロールブロックやＰａｄｄｉｎｇのいずれかが後続することを示す。
【００３６】
一方、「Ｅ」が、「１」である場合、当該「Ｅ」は、ＭＡＣヘッダの最後ではなく、当該「Ｅ」には、「ＬＩ」と「Ｃ/Ｔ」と「Ｅ」とからなる組が後続することを示す。
【００３７】
図４（ａ）の例では、「Ｅ」は、当該「Ｅ」が、ＭＡＣヘッダの最後であり、ＭＡＣ-ＳＤＵ＃１が後続することを示す。
【００３８】
図４（ｂ）の例では、ＭＡＣ-ＰＤＵ生成部１３は、ＭＡＣ-ＳＤＵ＃１-１及びＭＡＣ-ＳＤＵ＃１-２に対して、「Ｃ/Ｔ」と「Ｅ」とからなる組Ａ及び「ＬＩ」と「Ｃ/Ｔ」と「Ｅ」とからなる組Ｂを含むＭＡＣヘッダを付与するように構成されている。
【００３９】
図４（ｂ）に示すように、ＭＡＣ-ＰＤＵに多重化されている複数のＭＡＣ-ＳＤＵのサイズを示す「ＬＩ（サイズ情報）」は、ＭＡＣ-ＰＤＵに付与されているＭＡＣヘッダ（ヘッダ情報）に含まれている。
【００４０】
すなわち、図４（ｂ）に示すように、ＭＡＣ-ＰＤＵ生成部１３は、ＭＡＣ-ＰＤＵに複数のＭＡＣ-ＳＤＵ（ＭＡＣ-ＳＤＵ＃１-１及びＭＡＣ-ＳＤＵ＃１-２）を多重化する場合、かかる複数のＭＡＣ-ＳＤＵのサイズを示す「ＬＩ（サイズ情報）」を含むＭＡＣヘッダ（ヘッダ情報）を付与するように構成されている。
【００４１】
図４（ｂ）の例では、組Ａにおける「Ｃ/Ｔ」は、ＭＡＣ-ＰＤＵに多重化されているＭＡＣ-ＳＤＵ＃１に対応する論理チャネルを識別するための情報であり、組Ａにおける「Ｅ」は、当該「Ｅ」が、ＭＡＣヘッダの最後ではないことを示す。
【００４２】
また、図４（ｂ）の例では、組Ｂにおける「ＬＩ」は、ＭＡＣ-ＳＤＵ＃１-１又はＭＡＣ-ＳＤＵ＃１-２のサイズを示す情報であり、組Ｂにおける「Ｃ/Ｔ」は、ＭＡＣ-ＰＤＵに多重化されているＭＡＣ-ＳＤＵ＃２に対応する論理チャネルを識別するための情報であり、組Ｂにおける「Ｅ」は、当該「Ｅ」が、ＭＡＣヘッダの最後であることを示す。
【００４３】
ここで、図４（ａ）及び図４（ｂ）に示すように、ＭＡＣヘッダに含まれる「ＬＩ」の数は、多重化されているＭＡＣ-ＳＤＵの数よりも１つ少ない。なお、ＭＡＣ-ＳＤＵ、ＭＡＣコントロールブロック、Ｐａｄｄｉｎｇのサイズは、可変であるものとする。
【００４４】
また、上述の「ＬＩ」の長さは、固定であり、上述の所定サイズは、固定長の「ＬＩ」によって指定可能な最大のサイズである。
【００４５】
例えば、「ＬＩ」の長さ、すなわち、「ＬＩ」のビット数が、「１０ビット」である場合、かかる「ＬＩ」によって指定可能なサイズは、「１バイト」から「１０２４バイト」となるため、上述の所定サイズは、「１０２４バイト」となる。
【００４６】
かかる場合、ＭＡＣ-ＰＤＵ生成部１３は、ＭＡＣ-ＰＤＵサイズが、「１０２４バイト」よりも大きい場合、複数のＭＡＣ-ＳＤＵを多重化してＭＡＣ-ＰＤＵを生成するように構成されている。
【００４７】
ＭＡＣ-ＰＤＵ送信部１４は、ＭＡＣ-ＰＤＵ生成部１３により生成されたＭＡＣ-ＰＤＵを、１つのトランスポートブロックとして物理レイヤに送信するように構成されている（図３参照）。
【００４８】
図５に示すように、受信機３０は、ＭＡＣレイヤ機能として、ＭＡＣ-ＰＤＵ受信部３１と、ＭＡＣ-ＰＤＵサイズ情報取得部３２と、ＭＡＣヘッダ解析部３３と、ＭＡＣ-ＳＤＵ送信部３４とを具備している。
【００４９】
ＭＡＣ-ＰＤＵ受信部３１は、送信機１０によって送信されたＭＡＣ-ＰＤＵを、物理レイヤを介して受信するように構成されている（図３参照）。
【００５０】
ＭＡＣ-ＰＤＵサイズ情報取得部３２は、ＭＡＣ-ＰＤＵのサイズを示すＭＡＣ-ＰＤＵサイズ情報を取得するように構成されている。
【００５１】
例えば、受信機３０が、下り方向のデータを受信する移動局ＵＥであると想定した場合、物理レイヤから、ＭＡＣ-ＰＤＵのサイズを示すＭＡＣ-ＰＤＵサイズ情報を取得するように構成されている。
【００５２】
かかる場合、移動局ＵＥのＭＡＣ-ＰＤＵサイズ情報取得部３２は、物理レイヤを介して、無線基地局ｅＮｏｄｅＢから送信されたＬ１/Ｌ２制御チャネル（ＭＡＣ-ＰＤＵサイズ情報）によって、ＭＡＣ-ＰＤＵのサイズと等価であるトランスポートブロックサイズを通知されるように構成されている。
【００５３】
また、受信機３０が、上り方向のデータを送信する無線基地局ｅＮｏｄｅＢであると想定した場合、ＭＡＣレイヤ機能であるスケジューラから、ＭＡＣ-ＰＤＵのサイズを示すＭＡＣ-ＰＤＵサイズ情報を取得するように構成されている。
【００５４】
或いは、無線基地局ｅＮｏｄｅＢのＭＡＣ-ＰＤＵサイズ情報取得部３２は、物理レイヤを介して、移動局ＵＥから送信されたＬ１/Ｌ２制御チャネル（ＭＡＣ-ＰＤＵサイズ情報）によって、ＭＡＣ-ＰＤＵのサイズと等価であるトランスポートブロックサイズを通知されるように構成されていてもよい。
【００５５】
ＭＡＣヘッダ解析部３３は、ＭＡＣレイヤにおいて受信したＭＡＣ-ＰＤＵのＭＡＣヘッダに含まれている「ＬＩ（サイズ情報）」及びＭＡＣ-ＰＤＵサイズ情報取得部３２により取得されたＭＡＣ-ＰＤＵサイズ情報に基づいて、ＭＡＣ-ＰＤＵに多重化されている情報要素（ＭＡＣ-ＳＤＵ、ＭＡＣコントロールブロック、Ｐａｄｄｉｎｇ）のサイズを検出するように構成されている。
【００５６】
ここで、ＭＡＣ-ＰＤＵ受信部３１により受信されたＭＡＣ-ＰＤＵのＭＡＣヘッダに「ＬＩ」が含まれていない場合、ＭＡＣヘッダ解析部３３は、ＭＡＣ-ＰＤＵサイズ情報取得部３２により取得されたＭＡＣ-ＰＤＵサイズ情報によって示されているＭＡＣ-ＰＤＵのサイズ及びＭＡＣヘッダのサイズに基づいて、ＭＡＣ-ＰＤＵに多重化されている情報要素（ＭＡＣ-ＰＤＵ、ＭＡＣコントロールブロック又はＰａｄｄｉｎｇ）のサイズを検出することができる。
【００５７】
かかる場合、具体的には、ＭＡＣヘッダ解析部３３は、上述のＭＡＣ-ＰＤＵのサイズから上述のＭＡＣヘッダのサイズを引いた値を、ＭＡＣ-ＰＤＵに多重化されている情報要素のサイズであるものとする。
【００５８】
図４（ａ）の例では、ＭＡＣヘッダ解析部３３は、「Ｃ/Ｔ」によってＭＡＣ-ＰＤＵに多重化されている情報要素が、ＭＡＣ-ＳＤＵ＃１であることを認識し、上述のＭＡＣ-ＰＤＵのサイズから上述のＭＡＣヘッダのサイズを引いた値が、ＭＡＣ-ＰＤＵに多重化されているＭＡＣ-ＳＤＵ＃１のサイズであるものと認識する。
【００５９】
なお、図４（ｂ）の例では、ＭＡＣヘッダ解析部３３は、「Ｃ/Ｔ」によってＭＡＣ-ＰＤＵに多重化されている情報要素が、ＭＡＣ-ＳＤＵ＃１-１及びＭＡＣ-ＳＤＵ＃１-２であることを認識し、上述のＭＡＣ-ＰＤＵのサイズ及び「ＬＩ」によって、ＭＡＣ-ＳＤＵ＃１のサイズ及びＭＡＣ-ＳＤＵ＃２のサイズを認識する。
【００６０】
ＭＡＣ-ＳＤＵ送信部３４は、ＭＡＣヘッダ解析部３３によって検出された情報要素のサイズに基づいて、ＭＡＣ-ＰＤＵから当該情報要素を抽出するように構成されている。
【００６１】
なお、ＭＡＣ-ＳＤＵ送信部３４は、抽出したＭＡＣ-ＳＤＵを、ＲＬＣレイヤに対して送信するように構成されている。
（本発明の第１の実施形態に係る移動通信システムの動作）
図６及び図７を参照して、本発明の第１の実施形態に係る移動通信システムの動作について説明する。
【００６２】
第１に、図６を参照して、本実施形態に係る送信機１０の動作について説明する。
【００６３】
図６に示すように、ステップＳ１０１において、送信機１０のＭＡＣレイヤ機能が、送信機１０のＲＬＣレイヤから、受信機３０に対して送信すべきＭＡＣ-ＳＤＵを受信する。
【００６４】
具体的には、ステップＳ１０１において、送信機１０のＭＡＣレイヤ機能が、送信機１０のＲＬＣレイヤから、所定サイズ以下で、かつ、ＭＡＣ-ＰＤＵサイズ情報取得部１２により取得されたＭＡＣ-ＰＤＵのサイズに適したサイズのＭＡＣ-ＳＤＵを受信する。
【００６５】
物理レイヤ又はスケジューラから通知されたＭＡＣ-ＰＤＵのサイズが所定サイズよりも大きいと判定された場合、ステップＳ１０２において、送信機１０のＭＡＣレイヤ機能が、ＲＬＣレイヤから受信した複数のＭＡＣ-ＳＤＵをＭＡＣ-ＰＤＵに多重化する（図４（ｂ）参照）。
【００６６】
一方、物理レイヤ又はスケジューラから通知されたＭＡＣ-ＰＤＵのサイズが所定サイズ以下であると判定された場合、ステップＳ１０２において、送信機１０のＭＡＣレイヤ機能が、受信した１つのＭＡＣ-ＳＤＵをＭＡＣ-ＰＤＵに多重化する（図４（ａ）参照）
送信機１０のＭＡＣレイヤ機能が、ステップＳ１０５において、ＭＡＣヘッダが付与されたＭＡＣ-ＰＤＵを生成し、ステップＳ１０６において、送信機１０の物理レイヤを介して、生成されたＭＡＣ-ＰＤＵを受信機３０に対して送信する。
【００６７】
第２に、図７を参照して、本実施形態に係る受信機３０の動作について説明する。
【００６８】
図７に示すように、ステップＳ２０１において、受信機３０のＭＡＣレイヤ機能が、受信機３０の物理レイヤを介して、送信機１０から送信されたＭＡＣ-ＰＤＵを受信する。
【００６９】
ステップＳ２０２において、受信機３０のＭＡＣレイヤ機能が、受信したＭＡＣ-ＰＤＵに付与されているＭＡＣヘッダを解析する。
【００７０】
ステップＳ２０２において、受信したＭＡＣ-ＰＤＵに付与されているＭＡＣヘッダ内に「ＬＩ」が含まれていないと判定された場合、受信機３０１０のＭＡＣレイヤ機能が、ＭＡＣヘッダ内に含まれている「Ｃ/Ｔ」によって、当該ＭＡＣ-ＰＤＵに多重化されている情報要素を識別し、物理レイヤ又はスケジューラから通知されたＭＡＣ-ＰＤＵサイズ情報に含まれるＭＡＣ-ＰＤＵのサイズ及びＭＡＣヘッダのサイズに基づいて、識別した情報要素（例えば、ＭＡＣ-ＳＤＵ）を取得する。
【００７１】
一方、ステップＳ２０２において、受信したＭＡＣ-ＰＤＵに付与されているＭＡＣヘッダ内に「ＬＩ」が含まれていると判定された場合、受信機３０のＭＡＣレイヤ機能が、ＭＡＣヘッダ内に含まれている「Ｃ/Ｔ」によって、当該ＭＡＣ-ＰＤＵに多重化されている情報要素を識別し、物理レイヤ又はスケジューラから通知されたＭＡＣ-ＰＤＵサイズ情報に含まれるＭＡＣ-ＰＤＵのサイズとＭＡＣヘッダのサイズと「ＬＩ」とに基づいて、識別した情報要素（例えば、ＭＡＣ-ＳＤＵ）を取得する。
【００７２】
ステップＳ２０３において、受信機３０のＭＡＣレイヤ機能が、ＭＡＣヘッダの解析結果に基づいて、ＭＡＣ-ＰＤＵから抽出したＭＡＣ-ＳＤＵを出力する。
【００７３】
（本発明の第１の実施形態に係る移動通信システムの作用・効果）
本発明の第１の実施形態に係る移動通信システムによれば、ＭＡＣヘッダに含まれる「ＬＩ」の長さ（「ＬＩ」に必要なビット数）を固定長（固定ビット数）とすることができるため、高速パケット通信において、多重化するＭＡＣ-ＰＤＵのサイズを示す「ＬＩ」に必要なビット数の増加よるオーバヘッドの増加を軽減することができる。
【００７４】
（変更例１）
本発明は、送信機１０と受信機３０との間で送信されるＭＡＣ-ＰＤＵのフォーマットが、図４（ａ）及び図４（ｂ）に示すフォーマットである場合に限定されるものではなく、かかるＭＡＣ-ＰＤＵのフォーマットが、当該ＭＡＣ-ＰＤＵに多重化されているＭＡＣ-ＳＤＵ等の情報要素のサイズを示すサイズ情報をＭＡＣヘッダ内に含む任意のフォーマットである場合にも適用可能である。
【００７５】
例えば、本発明は、図８（ａ）及び図８（ｂ）に示すように、「ＬＩ」と「Ｃ/Ｔ」と「Ｅ」とからなる１つ又は複数の組によって構成されるＭＡＣヘッダの代わりに、多重化されるＭＡＣ-ＳＤＵのサイズを示す１つ又は複数の「ＬＩ」を含むＭＡＣヘッダが付与されているＭＡＣ-ＰＤＵのフォーマットが用いられる場合にも適用可能である。
【００７６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【００７７】
【図１】本発明の第１の実施形態に係る移動通信システムの全体構成図である。
【図２】本発明の第１の実施形態に係る送信機の機能ブロック図である。
【図３】本発明の第１の実施形態に係る移動通信システムにおけるプロトコルスタックを示す図である。
【図４】本発明の第１の実施形態に係る送信機によって送信されるＭＡＣ-ＰＤＵのフォーマットの一例を示す図である。
【図５】本発明の第１の実施形態に係る受信機の機能ブロック図である。
【図６】本発明の第１の実施形態に係る送信機の動作を示すフローチャートである。
【図７】本発明の第１の実施形態に係る受信機の動作を示すフローチャートである。
【図８】本発明の変更例１に係る送信機によって送信されるＭＡＣ-ＰＤＵのフォーマットの一例を示す図である。
【図９】ＨＳＤＰＡにおいて使用されるＭＡＣ-ｈｓ  ＰＤＵのフォーマットの一例を示す図である。
【符号の説明】
【００７８】
１０…送信機
１１…ＭＡＣ-ＳＤＵ受信部
１３…ＭＡＣ-ＰＤＵ生成部
１４…ＭＡＣ-ＰＤＵ送信部
３０…受信機
３１…ＭＡＣ-ＰＤＵ受信部
１２、３２…ＭＡＣ-ＰＤＵサイズ情報取得部
３３…ＭＡＣヘッダ解析部
３４…ＭＡＣ-ＳＤＵ送信部
【図１】
2008172296.tif 000003
【図２】
2008172296.tif 000004
【図３】
2008172296.tif 000005
【図４】
2008172296.tif 000006
【図５】
2008172296.tif 000007
【図６】
2008172296.tif 000008
【図７】
2008172296.tif 000009
【図８】
2008172296.tif 000010
【図９】
2008172296.tif 000011